(57)【要約】【課題】  隣接したコンクリート構造物同士の継手箇所を、施工許容差の範囲内で接続可能とし、かつまた鉄筋位置の調整が容易に行えるようにする。【解決手段】  隣接したコンクリート構造物同士を接続する継手箇所に介在し、弾力性を有する水密部材により水漏れを防止するための伸縮可能な後施工型可撓継手装置であって、コンクリート構造物１１、１２の内壁に水密部材１５を固定するための押さえ部材１８、１８′、１８″を、コンクリート構造物１１、１２の横断面方向の長さと現場合わせするために複数部分に分割して構成し、分割した押さえ部材同士の間隔を調整可能に、各押さえ部材１８…を配置するとともに、調整間隙１９、１９′を覆いかつ押さえ力を補助するために押さえ部材１８…の外側に圧縮補助板２１を当てがい、その圧縮補助板２１を一方の押さえ部材のみに固定して他方の押さえ部材に対しては摺動可能とし、調整間隙１９…における水密部材１５に対する押さえとする。【選択図】          図５
2006161441.tif 000002
【特許請求の範囲】
【請求項１】
隣接したコンクリート構造物同士を接続する継手箇所に介在し、弾力性を有する水密部材により水漏れを防止するための伸縮可能な後施工型可撓継手装置であって、
コンクリート構造物の内壁に水密部材を固定するための押さえ部材を、コンクリート構造物の横断面方向の長さと現場合わせをするために複数部分に分割して構成し、分割した押さえ部材同士の間隔を調整可能に、各押さえ部材を配置するとともに、調整間隙を覆いかつ押さえ力を補助するために押さえ部材の外側に圧縮補助板を当てがい、その圧縮補助板を一方の押さえ部材のみに固定して他方の押さえ部材に対しては摺動可能とし、調整間隙における水密部材に対する押さえとしたことを特徴とするコンクリート構造物の伸縮可能な後施工型可撓継手装置。
【請求項２】
水密部材は、コンクリート構造物の内壁に打ち込むアンカーボルトにより押さえ部材を介して固定され、水密部材に作用する内水圧及び外水圧に対して、伸縮可撓性を妨げない内水圧保護板及び外水圧保護板を介装し、さらに、外水圧に対抗するカバー部材を、前記アンカーボルトにより片持ち式に取り付けた構成を有している請求項１記載のコンクリート構造物の伸縮可能な後施工型可撓継手装置。
【請求項３】
水密部材がコンクリート構造物の内壁面と接する止水面に、水膨張性スポンジ等より成るシール部材を装着した構成を有している請求項１記載のコンクリート構造物の伸縮可能な後施工型可撓継手装置。
【請求項４】
水密部材の上流側に、コンクリート構造物の内壁面と水密部材の内面又はカバー部材の内面とを滑らかにつなぐ整流板を取り付けた構成を有している請求項１記載のコンクリート構造物の伸縮可能な後施工型可撓継手装置。
【発明の詳細な説明】
【技術分野】
【０００１】
本発明は、隣接したコンクリート構造物同士を接続する継手箇所に介在し、弾力性を有する水密部材により水漏れを防止するための伸縮可能な後施工型可撓継手装置に関するものである。
【背景技術】
【０００２】
コンクリート構造物同士を接続する継手箇所における水漏れを防止する発明、考案は多数存在するが、どれを実施する場合でも、コンクリート構造物の施工許容差を考慮する必要がある。この施工許容差は通常±２ｃｍであり、この範囲内において全ての工事を行わなければならない。即ち、後施工型可撓継手装置とコンクリート構造物との寸法合わせ
は、後施工型可撓継手装置を２ｃｍ大き目に製作しコンクリート構造物に合わせて切断接合するか、コンクリート構造物を切削又は肉盛し後施工型可撓継手装置を装着する等の工法が用いられていた。また、後施工によってアンカーボルトをコンクリート構造物に打ち込む場合、従来は、コンクリート構造物内に既設の鉄筋との位置調整が問題となり、場合によっては既設の鉄筋を削るとか切断するとかいうような事態も起こり得る。なお本発明の属する技術分野において類似技術を検索したところ、以下の８点の発明考案を見出し
た。しかしながらこれらの内、前記の問題に応え得るものは存在せず、またこれら以外の出願は問題にならないほどのものである。
【０００３】
【特許文献１】実開昭５８−６３２３３号
【特許文献２】特許第２７２１４７２号
【特許文献３】特許第２７５３８１８号
【特許文献４】特許第２８４９３６５号
【特許文献５】特許第３０４５９９０号
【特許文献６】特開２００２−２１１６６号
【特許文献７】特開２００３−１１３６９９号
【特許文献８】特開２００３−３４３１９９号
【発明の開示】
【発明が解決しようとする課題】
【０００４】
本発明は前記の点に着目してなされたものであり、その課題は、隣接したコンクリート構造物同士の継手箇所を、施工許容差の範囲内で接続可能とし、かつまた鉄筋位置の調整が容易に行えるようにすることである。
【課題を解決するための手段】
【０００５】
前記の課題を解決するため本発明は、隣接したコンクリート構造物同士を接続する継手箇所に介在し、弾力性を有する水密部材により水漏れを防止するための伸縮可能な後施工型可撓継手装置について、コンクリート構造物の内壁に水密部材を固定するための押さえ部材を、コンクリート構造物の横断面方向の長さと現場合わせをするために、複数部分に分割して構成し、分割した押さえ部材同士の間隔を調整可能に、各押さえ部材を配置するとともに、調整間隙を覆いかつ押さえ力を補助するために押さえ部材の外側に圧縮補助板を当てがい、その圧縮補助板を一方の押さえ部材のみに固定して他方の押さえ部材に対しては摺動可能とし、調整間隙における水密部材に対する押さえとする、という手段を講じたものである。
【０００６】
本発明において対象とするコンクリート構造物は、水路を構築するためのものであり、鉄筋を有する。また、形態的には閉断面構造のほか、上面を開放した開水路型構造のものを含む、概して函状断面のものである。コンクリート構造物同士を接続する継手箇所に
は、水漏れ防止のために水密部材を内側に装着する。水密部材は、例えば水密ゴムなどと通称されるようにゴム又はその他の樹脂材料から成る、弾力性を有するものであって、その性質上コンクリート構造物の内壁に密着可能であるようなサイズに設計製作されてお
り、その弾力性によって隣接したコンクリート構造物の間に生ずる様々な伸縮を吸収するという意図を持っている。以上の事柄はコンクリート構造物の止水継手として必要な一般的事項である。
【０００７】
水密部材をコンクリート構造物の内壁に固定するために、押さえ部材が使用される。押さえ部材は、水密部材の止水部をコンクリート構造物の内壁面に押さえ付けるようにして取り付けるための部材である。これまでのものは、コンクリート構造物に施工許容差があり後施工型伸縮可撓継手装置との調整に多くの労力を要していた。
【０００８】
そこで本発明では、押さえ部材をコンクリート構造物の横断面方向において、周長を複数部分に分割し、分割して得た押さえ部材同士は、夫々の端部を接触させることなく調整間隙を設けて配置することを許容するものとする。調整間隙は、コンクリート構造物における施工許容差の約２倍程度あれば十分である。
【０００９】
一方、押さえ部材を複数部分に分割したことによって、調整間隙の部分では、水密部材の止水部に、押さえ部材による固定力が及ばないことになるので、本発明では調整間隙を覆う圧縮補助板を押さえ部材の外側に当てがい、調整間隙の部分においても圧縮補助板に対して必要な押さえ力を及ぼすものとする。圧縮補助板は必要な押さえ力を伝える範囲の最小板厚とする。また圧縮補助板は、調整間隙の幅よりも十分に大きく、分割された押さえ部材の両方にかかる長さを有し、一方の押さえ部材に対して固定し、他方の押さえ部材に対しては何も固定することなく摺動可能なように設ける。
【００１０】
水密部材は、コンクリート構造物の内壁に打ち込むアンカーボルトにより、押さえ部材を介して固定されるが、コンクリート構造物内を流れる水流の圧力に対抗するためにはカバー部材を設けると良い。このカバー部材は、前記のアンカーボルトを共用して片持ち式に取り付けることができる。これにより水密部材の水圧による膨れ上がりが防止される。またカバー部材を片持ち型式とすることにより伸縮可撓性も確保されることとなる。また水密部材とカバー部材との間に外水圧保護板を介装し、水密部材とコンクリート構造物の内壁との間に内水圧保護板を介装することが望ましい。
【００１１】
さらに、水密部材がコンクリート構造物の内壁面と接する止水面に、水膨張性スポンジ等より成るシール部材を装着することが望ましく、これによってコンクリート止水面の軽微な凹凸を補修することができる。また、水密部材の上流側に、コンクリート構造物の内壁面と水密部材の内面又はカバー部材の内面を滑らかにつなぐ、整流板を取り付けることができ、これによって水路断面積が急減することに伴う水頭損失を著しく軽減することができる。
【発明の効果】
【００１２】
本発明はこのように構成されているので、隣接したコンクリート構造物同士の継手部
を、施工許容差の範囲内において、容易に接続することができ、接続に際しては、調整間隙を設けて配置する、複数部分に分割された押さえ部材により水密部材の止水部を固定するので、施工に手間取ることなく、しかも正確に施工を完了することができ、調整間隙の部分は圧縮補助板を当てがい、水密部材の止水部を圧縮するようにしているので、水密部材による止水効果は分割しない押さえ部材による場合と変わらない。
【発明を実施するための最良の形態】
【００１３】
以下図示の実施形態を参照して本発明をより詳細に説明する。図１は、コンクリート構造物の横断面形状を示しており、図２は、本発明に係るコンクリート構造物の伸縮可能な後施工型可撓継手装置１０の例示であって、その詳細は図３に示されている。例示されているコンクリート構造物は横断面が矩形で４隅に面取り部を有する８辺形を有しており、隣接するコンクリート構造物１１、１２の接続箇所１３の内部に、本発明に係る装置１０が設置される。なお、図２及び図３において、左が上流、右が下流である(矢印参照）。
【００１４】
本発明に係る装置１０において、接続継手箇所１３の内側には、弾力性を有する材料から成る水密部材１５が配置されている。水密部材１５は蛇腹状の伸縮可撓部１４を有し、かつその両端に止水部１６、１７を有している。この水密部材１５は、コンクリート構造物１１、１２の内壁に密着可能なサイズを有しており、これをコンクリート構造物１１、１２に固定するための押さえ部材１８は、コンクリート構造物１１、１２の８辺部に夫々対応する長さを有する８個の部分に分割されている。しかも、分割した押さえ部材同士
を、調整間隙１９を設けて配置するために、コンクリート構造物１１、１２の各辺長に対して、施工許容差を考慮した分だけ短く形成されている。施工許容差は本発明の場合±２ｃｍである。
【００１５】
説明の便宜上、上流側、下流側で押さえ部材は符号を１８に統一し、横断面において中央にあらわれる押さえ部材を１８とし、左右の押さえ部材を夫々１８′、１８″であらわしている(図５)。例示の場合、各押さえ部材１８、１８′、１８″は圧縮補助板２１という裏当て構造によって関連付けられている。図４、図５の例では、４５度の角度に折り曲げられた圧縮補助板２１を短辺部分で中央の押さえ部材１８の左右両側に、溶接によって固定し、そこから斜め外側方へ立ち上がる長辺部分が左右の押さえ部材１８′、１８″に重なる構成である。溶接部分を符号２２で示す。故に左右の押さえ部材１８′、１８″に重なる部分は、調整間隙１９、１９′を確実に覆う。２３はアンカーボルト、２４はその差し込み穴を示す。
【００１６】
水密部材１５が外水圧により膨れ上がることを防止するために、外水圧に対抗するカバー部材２５、２６を、前記アンカーボルト２３により片持ち式に取り付けている。カバー部材２５、２６はアンカーボルト２３、２３により固定されているだけであるから、水密部材１５の伸縮可撓性を妨げない。また、水密部材１５とカバー部材２５、２６との間には外水圧保護板２７を介装し、水密部材１５とコンクリート構造物１１、１２の内壁との間には内水圧保護板２８を介装し、外水圧或いは内水圧により水密部材１５が押し込められないようにしている。
【００１７】
図３において、２９はシール部材であり、水密部材１５がコンクリート構造物１１、１２と接する止水面に装着し、止水面の軽微な凹凸を補修し水密性を万全のものとしてい
る。また、図３において、３１は引っ張り止め金具であり、押さえ部材１８の先端部に溶接等の手段によって取り付けられ、水密部材１５の凹部に係合し、水密部材１５に引っ張り力が働いたときに止水面から止水部１６、１７が動いて抜けてしまうのを防止してい
る。３２は圧縮止め金具であり、アンカーボルト２３の締め込みを規制し、止水部１６、１７を最適な圧縮とするために設けられている。このような構造をもって装置されている水密部材１５の上流側に、コンクリート構造物１１の内壁面と水密部材１５の内面ないしはカバー部材２５の内面とを滑らかにつなぐ整流板３３を設けている。
【００１８】
上記のように構成されている本発明に係る伸縮可能な後施工型可撓継手装置１０は隣接したコンクリート構造物１１、１２の接続継手箇所１３に設置することにより、コンクリート構造物を用いて水路を構築する場合に、万全の水漏れ防止効果を発揮するものであ
り、既設構築物への後付け工事は勿論のこと、新設工事においても十分満足できる効果を得ることができるものである。特に後施工の場合、アンカーボルトの位置をコンクリート構造物の鉄筋の位置とどのように調整するかが問題となるが、本発明では複数部分に分割した押さえ部材同士を、調整間隙を設けて配置することにより横断方向の鉄筋との調整が可能となり、また縦断方向の調整は水密部材１５の幅に調整量を確保することで可能となる。
【産業上の利用可能性】
【００１９】
水路用のコンクリート構造物同士の継手部には、種々の止水板が装着され所期の目的を果たしているが、経年変化や荷重・基礎条件の変化により止水板の止水能力の低下若しくは止水性能の限界を超えた変位により、継手部に作用する内外水圧による漏水事故に対し短時間の施工を可能とする、押さえ部材長さ調整機能を有する、伸縮可能な後施工型可撓継手装置を提供することが可能となった。また本発明は、後施工に適することを特徴とするが、新設工事に適することも既に言及したとおりである。
【図面の簡単な説明】
【００２０】
【図１】本発明の対象となるコンクリート構造物の横断形状を示す説明図。
【図２】本発明に係るコンクリート構造物の伸縮可能な後施工型可撓継手装置の実施例を示す破断説明図。
【図３】図２の要部を拡大した説明図。
【図４】本発明に係る装置を説明するための平面図。
【図５】同じく図４に一部を対応させるようにした横断面図。
【符号の説明】
【００２１】
１０  コンクリート構造物の伸縮可能な後施工型可撓継手装置
１１、１２  コンクリート構造物
１３  接続継手箇所
１５  水密部材
１８、１８′、１８″  押さえ部材
１９、１９′  調整間隙
２１  圧縮補助板
２３  アンカーボルト
２４  差し込み穴
２５、２６  カバー部材
２７  外水圧保護板
２８  内水圧保護板
２９  シール部材
３３  整流板
【図１】
2006161441.tif 000003
【図２】
2006161441.tif 000004
【図３】
2006161441.tif 000005
【図４】
2006161441.tif 000006
【図５】
2006161441.tif 000007